(57)【特許請求の範囲】
【請求項１】
扉（Ｄ）内部に、第二キー（４）を差し込む蓋（７）付きキー穴（６）を有し且つ差し込まれた第二キー（４）のキー突起（４ｆ）が嵌って回動される扉（Ｄ）ロック開閉機構（Ｒ）に連結されたロック操作板（９）を備えた第二シリンダ錠（３）と、第一キー（２）を差し込むキー穴（５）を有し且つ差し込まれた第一キー（２）のキー突起（２ｂ）が嵌って回動されて前記第二シリンダ錠（３）のキー穴（６）の蓋（７）を開閉する蓋操作板（８）を備えた第一シリンダ錠（１）とから成る二段式シリンダ錠において、
前記第一キー（２）が差し込まれる第一シリンダ錠（１）は、第一キー（２）の先端部（２ａ）が当たる位置に、キー穴開口側の端部が至るように往復可能に内蔵された第一ピストン（２１）が内蔵バネ（２２）によりキー穴開口側に押されるように附勢され、蓋操作板（８）の第一シリンダ錠（１）内に設けられたキー孔（８ａ）に前記第一キー（２）が差し込まれてその蓋操作板（８）をキー孔（８ａ）に形成したキー当たり切欠範囲（８ｂ）に第一キー（２）のキー突起（２ｂ）が嵌って回動できるようにし、その蓋操作板（８）面に係止孔（２３）を設け、その係止孔（２３）に嵌る係止突起（２４）を第一ピストン（２１）に設けるとともに、その蓋操作板（８）面の側周部ケース（２８）に設けた往復ガイド孔（２８ａ）の外側に周方向外側から内側に斜めに向かうカム孔（８ｃ）を設けて成る請求項１に記載の二段式シリンダ錠。
【請求項２】
第二キー（４）の差込み部分が、抓み（４ｃ）側の大径軸部（４ａ）と中間部位に微小段差（１０）を有してそこから先が微小径となる小径軸部（４ｂ）とから成り、この第二キー（４）が差し込まれる第二シリンダ錠（３）は、第二キー（４）の微小段差（１０）と先端部（４ｄ）が同時に当たる位置に、キー穴開口側の端部が至るようにそれぞれ往復可能に内蔵された段差押しピストン（１１）とその奥の先端押しピストン（１２）とが内蔵バネ（１３）、（１４）によりキー穴開口側に押されるように附勢され、ロック操作板（９）の第二シリンダ錠（３）内に設けられたキー孔（９ａ）に前記第二キー（４）が差し込まれてそのロック操作板（９）をキー孔（９ａ）に形成したキー当たり切欠範囲（９ｂ）に第二キー（４）のキー突起（４ｆ）が嵌って回動できるようにし、そのロック操作板（９）面に係止孔（１５）を設け、その係止孔（１５）に嵌る係止突起（１６）を先端押しピストン（１２）に設け、また前記段差押しピストン（１１）の、キー穴開口側の端部部位に設けたロック操作板連動板（１９）の第二シリンダ錠（３）内に設けられたキー孔（１９ａ）に前記第二キー（４）が差し込まれてそのロック操作板連動板（１９）をキー孔（１９ａ）に形成した、キー当たり切欠範囲（１９ｂ）に第二キー（４）のキー突起（４ｅ）が嵌って回動できるようにし、そのロック操作板連動板（１９）面に係止孔（１７）を設け、その係止孔（１７）に嵌る係止突起（１８）を段差押しピストン（１１）に設け、前記ロック操作板（９）とロック操作板連動板（１９）とを連結軸（２０）で固定し、前記ロック操作板連動板（１９）の手前にキー穴（６）に孔位置を合わせるキー孔（７ａ）と前記蓋操作板（８）のカム孔（８ｃ）に嵌る突起（７ｂ）を設けた蓋（７）が、側周部ケース（２７）の往復ガイド孔（２７ｃ）を往復できるように設けて成る請求項１に記載の二段式シリンダ錠。
【発明の詳細な説明】
【０００１】
【発明が属する技術分野】
本発明は、玄関ドアー等に装着するシリンダ錠に関する。
【０００２】
【従来の技術】
これまで、各種の玄関ドアー等に装着するシリンダ錠が提供されている。
一般的には、特開平１−１３８０６８号公報にも示されるように、１つのキーと１つのシリンダ錠を組み合わせた構造となっている。
近年、このようなタイプの錠前において、ピッキング器具による開錠の被害が多発している。
このため、開錠時間をできるだけ長くかかるようにするために複数の錠を取り付けるケースが増加している。
【０００３】
しかしながら、この方法では単に錠を複数個取り付けるだけなので、２個付ければ開錠時間が単に２倍の時間になるだけのことであり、これまで通りピッキング器具による開錠を防ぐことにはなっていないのが実情である。
【０００４】
そこで、ピッキングによって開けられる時間が長く掛かるように、キーの凹凸とその凹凸に対応するシリンダ錠を複雑な構造にした各種シリンダ錠も提案されてはいるが、これも単に開錠時間を長引かせるだけのことで、ドアからの犯罪者の侵入を防ぐことは困難であった。
【０００５】
【発明が解決しようとする課題】
本発明は、従来のかかる難点を解消するためになされたもので、ピッキング器具による開錠が殆んど不可能な構造のシリンダ錠を提供するものである。
【０００６】
【課題を解決するための手段】
本発明は、上記課題を解決するために、扉Ｄ内部に、第二キー４を差し込む蓋７付きキー穴６を有し且つ差し込まれた第二キー４のキー突起４ｆが嵌って回動される扉Ｄロック開閉機構Ｒに連結されたロック操作板９を備えた第二シリンダ錠３と、第一キー２を差し込むキー穴５を有し且つ差し込まれた第一キー２のキー突起２ｂが嵌って回動されて前記第二シリンダ錠３のキー穴６の蓋７を開閉する蓋操作板８を備えた第一シリンダ錠１とから成る二段式シリンダ錠である。
【０００７】
そして、上記構成において、前記第一キー２が差し込まれる第一シリンダ錠１は、第一キー２の先端部２ａが当たる位置に、キー穴開口側の端部が至るように往復可能に内蔵された第一ピストン２１が内蔵バネ２２によりキー穴開口側に押されるように附勢され、蓋操作板８の第一シリンダ錠１内に設けられたキー孔８ａに前記第一キー２が差し込まれてその蓋操作板８をキー孔８ａに形成したキー当たり切欠範囲８ｂに第一キー２のキー突起２ｂが嵌って回動できるようにし、その蓋操作板８面に係止孔２３を設け、その係止孔２３に嵌る係止突起２４を第一ピストン２１に設けるとともに、その蓋操作板８面の側周部ケース２８に設けた往復ガイド孔２８ａの外側に周方向外側から内側に斜めに向かうカム孔８ｃを設けて成るものである。
【０００８】
さらに、上記構成において、前記第二キー４の差込み部分が、抓み４ｃ側の大径軸部４ａと中間部位に微小段差１０を有してそこから先が微小径となる小径軸部４ｂとから成る。
【０００９】
この第二キー４が差し込まれる第二シリンダ錠３は、第二キー４の微小段差１０と先端部４ｄが同時に当たる位置に、キー穴開口側の端部が至るようにそれぞれ往復可能に内蔵された段差押しピストン１１とその奥の先端押しピストン１２とが内蔵バネ１３、１４によりキー穴開口側に押されるように附勢され、ロック操作板９の第二シリンダ錠３内に設けられたキー孔９ａに前記第二キー４が差し込まれてそのロック操作板９をキー孔９ａに形成したキー当たり切欠範囲９ｂに第二キー４のキー突起４ｆが嵌って回動できるようにし、そのロック操作板９面に係止孔１５を設け、その係止孔１５に嵌る係止突起１６を先端押しピストン１２に設ける。
【００１０】
また前記段差押しシリンダ１１の、キー穴開口側の端部部位に設けたロック操作板連動板１９の第二シリンダ錠３内に設けられたキー孔１９ａに前記第二キー４が差し込まれてそのロック操作板連動板１９をキー孔１９ａに形成した、キー当たり切欠範囲１９ｂに第二キー４のキー突起４ｅが嵌って回動できるようにし、そのロック操作板連動板１９面に係止孔１７を設け、その係止孔１７に嵌る係止突起１８を段差押しピストン１１に設け、前記ロック操作板９とロック操作板連動板１９とを連結軸２０で固定する。
【００１１】
前記ロック操作板連動板１９の手前にキー穴６に孔位置を合わせるキー孔７ａと第一シリンダ錠１の蓋操作板８のカム孔８ｃに嵌る突起７ｂを設けた蓋７が、側周部ケース２７の往復ガイド孔２７ｃを往復できるように設けて成るものである。
【００１２】
【発明の実施の形態】
本発明の実施の形態を、図の実施例で以下詳しく説明する。
本発明の二段式シリンダ錠は、図１及び図２に示すように、第二段目の、扉Ｄ内部に、正面シリンダ３１と側周部ケース２７と突当ケース２９とに収められ、突起４ｆ付き第二キー４を差し込む蓋７付きキー穴６を有し且つ差し込まれた第二キー４のキー突起４ｆが嵌って回動される扉Ｄのロック開閉機構Ｒに連結されたロック操作板９を備えた第二シリンダ錠３と、第一段目の、正面シリンダ３０と側周部ケース２６と突当ケース２８とに収められ、キー突起２ｂ付き第一キー２を差し込むキー穴５を有し且つ差し込まれた第一キー２のキー突起２ｂが嵌って回動されて前記第二シリンダ錠３のキー穴６の蓋７の開閉を行う蓋操作板８を備えた第一シリンダ錠１とから構成される。
【００１３】
そして、図１と図２に示すように、前記第一段目は、前記第一キー２が差し込まれる第一シリンダ錠１は、正面シリンダ３０と、側面に蓋操作板８の往復ガイド孔２８ａを設けた側周部ケース２６と突当ケース２８とに収められ、第一キー２の先端部２ａが当たる位置に、キー穴開口側の端部が至るように往復可能に内蔵された第一ピストン２１が内蔵バネ２２によりキー穴開口側に押されるように附勢され、前記蓋操作板８の第一シリンダ錠１内に設けられたキー孔８ａに前記第一キー２が差し込まれて、その第一キー２のキー突起２ｂをその蓋操作板８をキー孔８ａに形成したキー当たり切欠範囲８ｂに嵌めて回動できるようにする。そして、前記蓋操作板８面に係止孔２３を設けて、その係止孔２３に嵌る係止突起２４を第一ピストン２１のキー当たり面に突設する。
【００１４】
そしてまた前記蓋操作板８面には、周方向外側から内側に斜めに向かうカム孔８ｃを設ける。
図１の蓋操作板８は、安定性を向上させるために連結棒８ｄで連結させて２枚を連動できるようにしたものである。
【００１５】
また、前記第二段目は、前記第二キー４の差込み部分が、抓み４ｃ側の大径軸部４ａと中間部位に微小段差１０を有してそこから先が微小径となる小径軸部４ｂとで構成する。
【００１６】
この第二キー４が差し込まれる第二シリンダ錠３は、正面シリンダ３１と、側面にロック操作板９とロック操作板連動板１９を挿通させる往復ガイド孔２７ａ、２７ｂと蓋７のスライドをさせる往復ガイド孔２７ｃを設けた側周部ケース２７と突当ケース２９とに収められ、第二キー４の微小段差１０と先端部４ｄが同時に当たる位置に、キー穴開口側の端部が至るようにそれぞれ往復可能に内蔵された小径段差孔１１ａを形成した段差押しピストン１１と、その奥の先端押しピストン１２とが内蔵バネ１３、１４によりキー穴開口側に押されるように附勢され、ロック操作板９の第二シリンダ錠３内に設けられたキー孔９ａに前記第二キー４が差し込まれてキー突起４ｆがそのロック操作板９をキー孔９ａに形成したキー当たり切欠範囲９ｂに嵌って回動できるようにする。
そして、そのロック操作板９面に係止孔１５を設け、その係止孔１５に嵌る係止突起１６を先端押しピストン１２のキー当たり面に突設する。
【００１７】
また、前記段差押しピストン１１の、キー穴開口側の端部部位に設けたロック操作板連動板１９の第二シリンダ錠３内に設けられたキー孔１９ａに前記第二キー４が差し込まれて、そのキー突起４ｅがそのロック操作板連動板１９をキー孔１９ａに形成したキー当たり切欠範囲１９ｂに嵌って回動できるようにし、そのロック操作板連動板１９面に係止孔１７を設け、その係止孔１７に嵌る係止突起１８を段差押しピストン１１に設け、前記ロック操作板９とロック操作板連動板１９とを連結軸２０で固定する。
【００１８】
また、ロック操作板連動板１９の手前には、ずらしてキー穴６に位置を合わせるキー孔７ａと前記蓋操作板８のカム孔８ｃに嵌る突起７ｂを設けた蓋７が、前記側周部ケース２７の往復ガイド孔２７ｃを往復できるように装着する。
【００１９】
前記第一キー２と第二キー４は、別個にしても、また、第二キー４の小径軸部４ｂを第一キー２と同じに形成するとともに、これを差し込む第一シリンダ錠１又は第二シリンダ錠３をキーの径の太さとそれぞれの突起の位置を対応する構造にすれば、両者が兼用できるようにすることも可能である。
【００２０】
【使用方法】
本発明は上記構造なので、図３に示すように、第一シリンダ錠１に第一キー２を入れて押したままで係止孔２３から係止突起２４を外して蓋操作板８のキー孔８ａのキー当たり切欠範囲８ｂに掛けて蓋操作板８を回動させて蓋操作板８のカム孔８ｃと蓋７の突起７ｂとの働きで第二シリンダ錠３の蓋７を開く。
【００２１】
次に、図４に示すように、開いた蓋７から第二キーを第二シリンダ錠に差し込む。
そして、その第二キーで、段差押しピストン１１と先端押しピストン１２を同時に押したままでロック操作板９をキー孔９ａとロック操作板連動板１９のキー孔１９ａとに設けた両キー当たり切欠範囲９ｂ、１９ｂを同時に回す。
すると、ロック操作板９とロック操作板連動板１９とが同時に回り、そのロック操作板に設けたロック操作突起２５により扉Ｄのロック開閉機構Ｒが操作されて玄関のロックが開かれる。
【００２２】
図４では、に差し込んだ第一キー２を時計回りにする時に、第二シリンダ錠３の蓋７を開き、その状態から反時計回りにキー当たり切欠範囲８ｂだけ少し回すと、そのまま第一キー２を抜くことができ、第一キー２を抜かないでそのままさらに反時計回りに回すと蓋７が閉じる例を示している。
また、第二キー４を第二シリンダ錠３に差し込んで、時計回りにする時にロック操作突起２５を反時計回りに移動させ、その状態から反時計回りにキー当たり切欠範囲９ｂ、１９ｂだけ少し回すと、そのまま第二キー４を抜くことができ、その第二キー４を抜かないでそのままさらに反時計回りに回すとロック操作突起２５を反時計回りに移動させることができるようにした例を示している。
【００２３】
第一キー２と第二キー４は、蓋操作板８とロック操作板９とロック操作板連動板１９にはそれぞれキー当たり切欠範囲８ｂ、１９ｂ、９ｂがあるので、逆転させれば各キー突起２ｂ、４ｅ、４ｆが蓋操作板８とロック操作板９とロック操作板連動板１９に対して切欠範囲８ｂ、１９ｂ、９ｂを部分的に空転して第一及び第二シリンダ錠１、３のキー突起通過溝３２、３３に戻って、扉Ｄのロックを掛けたまま又はロックを外したままで抜き取ることができる。
【００２４】
【発明の効果】
本発明は、以上説明したようであり、第一シリンダ錠１により他方の第二シリンダ錠３を開閉する仕組みなので、図３に示すように、第一シリンダ錠１の操作で第二シリンダ錠３の蓋７を開けなければ、第二キーが第二シリンダ錠に入れられない。このため、第一シリンダ錠１が開けられなければピッキングの器具が蓋７付きキー穴６内に入れられず使うことができない。
【００２５】
即ち、この構造では、ピッキングの器具でロックを開ける複数の関門がある。第一の関門は、第一シリンダ錠１に第一キー２を入れて押したままで係止孔２３から係止突起２４を外して蓋操作板８のキー孔８ａのキー当たり切欠範囲８ｂに掛けて蓋操作板８を回動させて第二シリンダ錠３の蓋７を開かなければならないこと。
【００２６】
第二の関門は、図３に示すように、段差第二シリンダ錠３の蓋７を開けられたとしても、第二キー穴６から段差押しピストン１１と先端押しピストン１２を同時に押さなければならない。したがってピッキング器具を少なくとも二本同時に差し込まなければならない。このとき、微小段差１０には器具が掛かりにくいので段差押しピストン１１を押すことが難しい。
【００２７】
第三の関門は、段差押しピストン１１と先端押しピストン１２を同時に押せたとしても、それらを押したままで上ロック操作板９をキー孔９ａとロック操作板連動板１９のキー孔１９ａとに設けた両キー当たり切欠範囲９ｂ、１９ｂを同時に回わさなければならない。
特に、本発明では前記段差押しピストン１１を押すための微小段差１０はミクロン単位に形成することができ、そうすれば、その微小段差１０にピッキング器具を掛けることすら困難となる。
【００２８】
これまでのシリンダ錠では、一つのドアに何個付けても、ピッキング器具により時間を掛ければ開けられたが、本発明では第一シリンダ錠１を操作できたとしても、それと同じようにして開けようとしても第二シリンダ錠３は開けることができず、結局以上の三つの関門をすべてパスして開錠することは不可能である。これにより、ピッキング器具で開けることができなくなり、空き巣などの犯罪を完全に防ぐことができるようになった。
【図面の簡単な説明】
【図１】本発明の縦断側面図。
【図２】要部を切欠し、第一キーを差し込んでいない状態を示す斜視図。
【図３】要部を切欠し、第一シリンダ錠に第一キーを差し込んで回した使用状態を示す斜視図。
【図４】要部を切欠し、第一シリンダ錠に第一キーを差し込んで回し且つ第二シリンダ錠に第二キーを差し込んで回した状態を示す斜視図。
【符号の説明】
１    第一シリンダ錠
２    第一キー
２ａ  第一キーの先端部
２ｂ  第一キーのキー突起
３    第二シリンダ錠
４    第二キー
４ａ  第二キーの大径軸部
４ｂ  第二キーの小径軸部
４ｃ  第二キーの抓み
４ｄ  第二キーの先端部
４ｅ  第二キーの大径キー突起
４ｆ  第二キーの小径キー突起
５    キー穴
６    キー穴
７    蓋
７ａ  蓋のキー孔
７ｂ  蓋の突起
８    蓋操作板
８ａ  蓋操作板のキー孔
８ｂ  キー当たり切欠範囲
８ｃ  カム孔
８ｄ  連結棒
９    ロック操作板
９ａ  ロック操作板のキー孔
９ｂ  ロック操作板のキー当たり切欠範囲
１０    微小段差
１１    段差押しピストン
１１ａ  小径段差孔
１２    先端押しピストン
１３    内蔵バネ
１４    内蔵バネ
１５    係止孔
１６    係止突起
１７    係止孔
１８    係止突起
１９    ロック操作板連動板
１９ａ  ロック操作板連動板のキー孔
１９ｂ  ロック操作板連動板のキー当たり切欠範囲
２０    連結軸
２１    第一ピストン
２２    内蔵バネ
２３    蓋操作板の係止孔
２４    係止突起
２５    ロック操作板のロック操作突起
２６    第一シリンダ錠の側周部ケース
２７    第二シリンダ錠の側周部ケース
２７ａ  往復ガイド孔
２７ｂ  往復ガイド孔
２７ｃ  往復ガイド孔
２８    第一シリンダ錠の突当ケース
２８ａ  往復ガイド孔
２９    第二シリンダ錠の突当ケース
３０    第一シリンダ錠の正面シリンダ
３１    第二シリンダ錠の正面シリンダ
３２    キー突起通過溝
３３    キー突起通過溝
Ｄ    扉
【図１】
0003598288.tif 000002
【図２】
0003598288.tif 000003
【図３】
0003598288.tif 000004
【図４】
0003598288.tif 000005